(57)【特許請求の範囲】
【請求項１】
第１の差動信号配線が形成された第１の信号層と、
第２の差動信号配線が形成された第２の信号層と、
前記第１の信号層と前記第２の信号層との間の磁性体層と
を具備し、
前記第１の差動信号配線と前記第２の差動信号配線とは、それぞれビアホールにより電気的に接続され、前記磁性体層と同じ層上には信号配線を設けることなく、前記ビアホールを取り囲むように、磁性体部材による閉磁路が形成される多層プリント基板。
【請求項２】
請求項１に記載の多層プリント基板において、
前記磁性体層は、複数である多層プリント基板。
【請求項３】
請求項１または２に記載の多層プリント基板において、
前記第１の信号層と前記第２の信号層との間に、さらに信号配線の形成される信号層を備えた多層プリント基板。
【請求項４】
請求項１から３までの少なくとも一項に記載の多層プリント基板において、
前記磁性体層に形成される前記閉磁路は複数であり、前記閉磁路の各々は共通のビアホール対を包囲する多層プリント基板。
【請求項５】
請求項１から４までの少なくとも一項に記載の多層プリント基板において、
前記閉磁路は、誘電体層上に形成される導体パターンの上に積層され、前記閉磁路は、前記導体パターンと同一の形状である多層プリント基板。
【請求項６】
請求項１から５までの少なくとも一項に記載の多層プリント基板において、
前記磁性体部材は、Ｎｉ−Ｚｎフェライトである多層プリント基板。
【請求項７】
請求項１から６までの少なくとも一項に記載の多層プリント基板において、
前記閉磁路の厚さ、幅、および形状の設定に応じて、前記差動信号配線を伝搬するコモンモードノイズの減衰量が調整される多層プリント基板。
【発明の詳細な説明】
【技術分野】
【０００１】
本発明は、高速デジタル信号伝送を行う多層プリント基板に関し、特に多層プリント基板の磁性体層に設けられる信号ビアを取り囲むように閉磁路を形成することにより、フィルタが一体構成される多層プリント基板に関する。
【背景技術】
【０００２】
昨今における、コンピュータに代表される電子情報機器の動作速度の高速化に伴い、ＬＳＩ間で、ＧＨｚを越える高い周波数のデジタル信号を伝送する必要が生じている。このため、複数のＬＳＩそれぞれの信号配線を伝搬する信号が相互に干渉することなく正確に伝送されることが要求されている。
【０００３】
上記要求に対する解決法の一つとして、２本の伝送線路を対にして、それぞれを逆位相で動作させることにより、外来ノイズの影響を受けにくくした差動信号伝送方式が広く用いられている。しかしながら、外来ノイズやその他の原因で２本の伝送線路が同相で動くコモンモードノイズなどが差動伝送線路に重畳されると、差動信号伝送方式といえども正確に信号伝送を行うことが出来なくなる。
【０００４】
このため、例えば特許文献１では、図１（ａ）〜（ｃ）に示されるように、差動伝送線路を磁性体からなるコモンモードフィルタに貫通させることで、コモンモードノイズを除去する手法が提案されている。
【０００５】
また、特許文献２では、図２に示されるように、プリント基板上に磁性体からなるコモンモードチョークコイルを形成することで、コモンモードノイズを除去する方法が提案されている。しかしながら、特許文献１に開示された技術は、プリント基板に対応させて提案の行われた技術ではないので、提案内容そのままの形態ではプリント基板の内蔵型フィルタとして使用することは出来ない。
【０００６】
また、特許文献２に開示された技術は、プリント基板に対応させて提案の行われた技術であるものの、以下に示すような問題がある。第１の問題点は、プリント基板の一部を切削して除去する必要があるということである。このため、プリント基板の製造工程が複雑となり、コストアップにつながってしまう。第２の問題点は、閉磁路を形成する為にプリント基板上にも磁性体を積載する必要が生じるということである。これにより、プリント基板上に磁性体が凸型形状に露出することになり、ノートパソコンや携帯電話など部品を高密度に実装する必要のある用途には、この技術を適用することが困難となる。第３の問題点は、コモンモードノイズはマイクロストリップ線路とビアといったような信号線路のインピーダンスの不連続点にて発生することが知られており、本技術のように配線パターンとビアとが繰り返されると、逆にコモンモードノイズを発生させてしまう恐れがあることである。
【０００７】
また、特許文献３に開示された技術は、図３に示されるように、チョークコイルおよびインダクタに関するものであるが、特許文献２に開示された技術とは異なり、プリント基板内に磁性体を内蔵しており、磁性体が基板上に凸型に飛び出ることはない。しかしながらこの技術にもいくつかの問題点がある。第１の問題点は、埋め込んだ磁性体を巻き回すように導体が形成されているために、この技術を高速信号伝送に適用した場合、巻き回すことにより線路長が増大する事に起因して、信号の遅延や減衰が生じてしまう。高速信号伝送ではＧＨｚを越えるような高い周波数成分を信号伝送に使用するが、高周波になるほど信号は減衰し易いので、線路長が長いことは大きな問題になる。第２の問題点は、特許文献２に開示された技術と同様に、配線パターンとビアの繰り返し構造では、コモンモードノイズが発生してしまう恐れがあることである。
【０００８】
また、特許文献４に開示された技術は、磁性体からなる電磁遮蔽層が基板中に形成されるものであるが、磁性体層とは異なる層にある信号配線パターンのノイズを低減しようとしているため、ノイズを低減したい信号配線領域と同じかそれ以上の面積の電磁遮蔽層が必要となり、高密度実装の妨げとなってしまう。また、ビアのような基板に垂直方向の信号配線に対する電磁遮蔽は考慮されていない。
【０００９】
また、特許文献５に開示された技術は、ビアに磁性体を設けた構造となっているが、特許文献４に開示された技術が指摘するようなスルーホールメッキ時の課題が解決されていない。また昨今では、基板厚が３ｍｍ程度のプリント基板に直径が０．２５ｍｍのドリルにて穴を開け、その後スルーホールメッキを行う、という工程が普通に使用されている。このプリント基板に特許文献５の技術を適用する場合、外形が０．２５ｍｍで長さが３ｍｍのチューブ状の磁性体をプリント基板に挿入する必要がある。更にその後にチューブ状の磁性体の内面をメッキする必要がある。こうした技術は現在のプリント基板製造技術では非常に難しく、製造コストの増加に繋がる。
【００１０】
また、このような技術に関連して、特開平１１−１６３２２１号公報に開示されている「配線基板」では、厚み方向に複数個の貫通孔を有する絶縁基体と、貫通孔内に充填され、一端が絶縁基体の上面に導出されて半導体素子の電極が接続される上部接続パッドを形成し、他端が絶縁基体の下面に導出されて外部電気回路基板の配線導体が接続される下部接続パッドを形成する複数個の配線層とから成る配線基板であって、絶縁基体は、Ｌｉ2 Ｏを５〜３０重量％含有する屈伏点が４００〜８００℃のリチウム珪酸ガラスを２０〜８０体積％と、クオーツ、クリストバライト、トリジマイト、エンスタタイト、フォルステライトの少なくとも１種から成るフィラー成分を２０〜８０体積％の割合で含む形成体を焼成して得られたクオーツ、クリストバライト、トリジマイト、エンスタタイトの少なくとも１種の結晶相を含有する焼結体から成り、かつ少なくとも貫通孔周辺に磁性材料が含有されている配線基板が提案されている。
【００１１】
【特許文献１】特許第３４３１４９６号公報
【特許文献２】特開２００５−００５４４２号公報
【特許文献３】特開２００４−２３５５９６号公報
【特許文献４】特開平１０−３０３５６３号公報
【特許文献５】特開平０１−２０１９８５号公報
【特許文献６】特開平１１−１６３２２１号公報
【発明の開示】
【発明が解決しようとする課題】
【００１２】
本発明の目的は、多層プリント基板の磁性体層に設けられる信号ビアを取り囲むように閉磁路を形成することによりフィルタを一体構成し、高速デジタル信号伝送を行う差動伝送線路に重畳されるコモンモードノイズを効率良く抑制することのできるシンプル且つコンパクトな構成を備えた多層プリント基板を提供することである。
【課題を解決するための手段】
【００１３】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の多層プリント基板（１００）は、差動信号配線を形成する第１信号配線対（１４０ａ、１４０ｂ）の形成された第１の信号層（１１０）と、差動信号配線を形成する第２信号配線対（１６０ａ、１６０ｂ）の形成された第２の信号層（１３０）と、第１の信号層と第２の信号層との間に積層される磁性体層（１２０）とを備え、第１信号配線対と第２信号配線対とは、それぞれビアホール（１５０ａ、１５０ｂ）により電気的に接続され、磁性体層には、ビアホールを取り囲むように、磁性体部材による閉磁路（１７０）が形成される。
【００１５】
また、本発明の多層プリント基板（１００）において、磁性体層（１２０ａ、１２０ｂ、１２０ｃ）は、複数である。
【００１６】
また、本発明の多層プリント基板（１００）は、第１の信号層（１１０）と第２の信号層（１３０）との間に、さらに信号配線の形成される信号層を備える。
【００１７】
また、本発明の多層プリント基板（１００）において、磁性体層（１２０）に形成される閉磁路（１７０）は複数である。
【００１８】
また、本発明の多層プリント基板において、閉磁路（１７０）は、誘電体層上に形成される導体パターン（１８０）の上に積層されることにより構成される。
【００１９】
また、本発明の多層プリント基板（１００）において、磁性体部材は、Ｎｉ−Ｚｎフェライトである。
【００２０】
また、本発明の多層プリント基板（１００）において、閉磁路（１７０、１７００）の厚さ、幅、および形状の設定に応じて、差動信号配線（１４０ａ、１５０ａ、１６０ａ、１４０ｂ、１５０ｂ、１６０ｂ）を伝搬するコモンモードノイズの減衰量が調整される。
【発明の効果】
【００２１】
本発明により、多層プリント基板の磁性体層に設けられる信号ビアを取り囲むように閉磁路を形成することによりフィルタを一体構成し、高速デジタル信号伝送を行う差動伝送線路に重畳されるコモンモードノイズを効率良く抑制することのできるシンプル且つコンパクトな構成を備えた多層プリント基板を提供することができる。
【００２２】
これによる本発明の第１の効果は、閉磁路を多層プリント基板の構成層である磁性体層に形成することで、プリント基板に削りなどの追加工をすることなく、多層プリント基板内部にフィルタを構成することができる。
【００２３】
また、本発明の第２の効果は、多層プリント基板とは別に製造した磁性体を多層プリント基板に挿入することなく、多層プリント基板内部にフィルタを構成することが出来る。
【００２４】
また、本発明の第３の効果は、閉磁路を多層プリント基板の構成層である磁性体層に形成することで、多層プリント基板上の実装面積を占有することなく、また基板の高さ方向に部品を実装することなく、多層プリント基板内部にフィルタを構成することができる。
【００２５】
また、本発明の第４の効果は、磁性体を信号線路が巻く形態ではなく、磁性体の閉磁路により信号線路を巻く形態とすることで、信号線路長を長くすることなく、多層プリント基板内部にフィルタを構成することが出来る。
【００２６】
また、本発明の第５の効果は、マイクロストリップ線路などと、ビアとの信号配線の不連続部にフィルタを形成することで、差動信号線路に生じるコモンモードノイズを発生源近くで除去することが出来、他の回路部分へ当該ノイズが伝搬する事による悪影響を抑えることが出来る。
【００２７】
また、本発明の第６の効果は、多層プリント基板の垂直方向の信号伝送路に対するフィルタ効果を可能とすることが出来る。また、ビア周辺部における最小限の磁性体の配置のみで、信号の垂直伝送路のフィルタリングを可能とし、高密度実装を実現することができる。
【発明を実施するための最良の形態】
【００２８】
添付図面を参照して、本発明による多層プリント基板を実施するための最良の形態を以下に説明する。
【００２９】
本発明の実施の形態に係わる多層プリント基板の概略構成を図４に示す（本構成は実施の形態１に対応）。本発明の実施の形態に係わる多層プリント基板１００は、第１の信号配線１４０ａ、１４０ｂの形成された第１の信号層１１０と、第２の信号配線１６０ａ、１６０ｂの形成された第２の信号層１３０とを含めた少なくとも３層以上の積層プリント基板を備えている。また、第１の信号層と第２の信号層との間には、磁性体部材によるパターンの形成された磁性体層１２０を有している。さらに、第１の信号層１１０に形成される第１の信号配線１４０ａ、１４０ｂと、第２の信号層に形成される第２の信号配線１６０ａ、１６０ｂとは、それぞれビアホール１５０ａ、１５０ｂによって電気的に接続されている。そして、当該ビアホール１５０ａ、１５０ｂを取り囲むように、磁性体部材により構成される閉磁路１７０が、磁性体層１２０に印刷などの方法により形成される。
【００３０】
本発明の実施の形態に係わる多層プリント基板においては、上記したように磁性体層１２０に形成される閉磁路１７０を貫通するように、第１の信号配線１４０ａとビア１５０ａと第２の信号配線１６０ａと、第１の信号配線１４０ｂとビア１５０ｂと第２の信号配線１６０ｂとからなる一連の信号線路対が形成されることにより、多層プリント基板内部に磁性体によるフィルタが一体形成される。本願の多層基板において一連の信号線路対に同相信号が流れた場合、同相信号をうち消すような磁束が閉磁路１７０に生成されることにより、一連の信号線路対において同相信号をうち消すフィルタ、つまりコモンモードフィルタとしての機能を備える。一方、一連の信号線路対に差動信号が流れた場合には、作動信号をうち消すような磁束は生成されず、差動信号はこのフィルタをそのまま通過することが出来る。
【００３１】
（実施の形態１）
本発明の実施の形態１に係わる多層プリント基板について、図４および図５を用いて詳細に説明する。図４は、本発明の実施の形態１に係わる多層プリント基板の斜視図である。図５は、図４のＡ−Ａ’面での断面を示す図である。本実施の形態に係わる多層プリント基板１００は、少なくとも３層により構成される多層プリント基板である。プリント基板１００は、最上層に配置される第１の信号層１１０と、最下層に配置される第２の信号層１３０と、第１の信号層１１０と第２の信号層１３０との間に配置される磁性体層１２０とを備えている。第１の信号層１１０には信号配線１４０ａ、１４０ｂが、そして、第２の信号層１３０には信号配線１６０ａ、１６０ｂがそれぞれ形成されている。第１の信号層１１０の信号配線１４０ａ、１４０ｂと、第２の信号層１３０の信号配線１６０ａ、１６０ｂとは、それぞれビアホール１５０ａ、１５０ｂにより電気的に接続されている。図４においては、信号配線１４０ａ、１４０ｂ、１６０ａ、１６０ｂの終端にはそれぞれ何も接続されていないが、実際の回路では、他の回路部品や配線などが接続される。
【００３２】
本実施の形態に係わる多層プリント基板１００においては、第１の信号層１１０と第２の信号層１３０との間に磁性体層１２０を備えており、磁性体層１２０には、上記ビアホール１５０ａ、１５０ｂが設けられている。磁性体層１２０では、ビアホール１５０ａと１５０ｂとを囲むように閉磁路１７０が形成されている。閉磁路１７０の形成方法の例としてスクリーン印刷を挙げることが出来るが、閉磁路１７０の形成方法としては、磁性体層１２０上に磁性体で閉磁路１７０を形成できる方法であればスクリーン印刷に限定されることはない。
【００３３】
図４では、一連の配線１４０ａ、１５０ａ、１６０ａと、１４０ｂ、１５０ｂ、１６０ｂとが１対の配線を構成しており、これが差動信号線路として機能する。この差動信号線路に差動信号を伝送する際、外部から当該差動信号にコモンモードノイズが重畳されることがある。また、当該差動信号線路においては、信号線路１４０ａ、１４０ｂと、１６０ａ、１６０ｂとが、それぞれビアホール１５０ａ、１５０ｂにより接続されている為、信号線路とビアホールとの接続部においてコモンモードノイズが発生しやすい。コモンモードノイズは、差動信号線路を同相にて振動させる為、正確な信号伝送を妨げることがある。
【００３４】
本実施の形態においては、信号配線であるビアホール１５０ａおよび１５０ｂを取り囲むように閉磁路１７０が形成されているため、同相信号が伝送される場合には、これをうち消す機能を備えている。一方、差動信号線路に差動信号が伝送されている場合には、閉磁路１７０は差動信号に対してほとんど影響を及ぼさない。これは、同相信号が差動信号線路を伝送する場合、この同相信号をうち消すような磁界が閉磁路１７０上に発生する為である。一方、差動信号が差動信号線路を伝送する場合、このような磁界は発生しない。よって、本実施の形態においては、当該閉磁路がコモンモードフィルタとして作用する。
【００３５】
次に、本実施の形態が実際のコモンモードフィルタとしての効果を有するシミュレーション結果を、図６Ａ〜図８Ｂに示す。図６Ａは、図４に示される本実施の形態において、磁性体層１２０に形成される閉磁路１７０の幅とビアホールからの距離を一定にして、閉磁路１７０の高さ方向の厚みをパラメータとして変化させた時の電磁界シミュレーションのモデルを示すものである。このシミュレーションモデルに基づいて行われたシミュレーション結果を図６Ｂに示す。図６Ｂは、閉磁路１７０の高さ方向の厚みをパラメータとして変化させた時に、コモンモードフィルタとしての効果が、閉磁路１７０を備えない場合と比較してどのように変化するかを示したものである。図６Ｂの縦軸がコモンモードノイズの透過量、横軸が閉磁路１７０の厚さである。透過量が負の値であるので、図の下へ行くほど減衰量が大きいことを表している。本シミュレーションでは磁性体の一例としてＮｉ−Ｚｎフェライトをフェライトメッキ法で作成した場合を想定し、複素透磁率の虚数項＝２０、また、層間に介在する誘電体の比誘電率を４．４として計算を行った。本シミュレーションにおいては、比誘電率４．４、比透磁率２０を用いているが、実際の多層基板において当該数値は、最適な使用部材の有する物性値に対応して変化する。同様に、図７Ａは、閉磁路１７０の厚さと幅とを一定にして、ビアホールと閉磁路１７０との距離をパラーメータとして変化させる場合の電磁界シミュレーションモデルを示す。図７Ａのモデルにおいて、ビアホールと閉磁路１７０との距離をパラーメータとして変化させた場合のシミュレーション結果を図７Ｂに示す。また、図８Ａは、閉磁路１７０の厚さとビアホールからの距離とを一定にして、閉磁路１７０の幅をパラメータして変化させた場合のシミュレーションモデルを示す。図８Ａのモデルにおいて、閉磁路１７０の幅をパラメータとして変化させた場合のシミュレーション結果を図８Ｂに示す。図６Ｂ、図７Ｂおよび図８Ｂに示したシミュレーション結果は、それぞれ本実施の形態が閉磁路１７０を備えない場合と比較して、どれだけコモンモードノイズを抑制することが出来るかを差分値として示したものである。
【００３６】
本発明における伝送信号は、主として、１ＧＨｚ以上の周波数を有するデジタル信号を対象としており、信号自身はもとより、それらの高調波成分に至るまでの周波数帯域において、伝送信号に対するコモンモードノイズの重畳を抑制することを目的としている。このような目的から考えると、図６Ｂ、図７Ｂおよび図８Ｂに示されるシミュレーション結果から、本実施の形態が、閉磁路１７０を備えない場合と比較して、当該周波数帯域において効果的にコモンモードノイズを抑制することが判る。しかし、図６Ｂに示されるように、閉磁路１７０の厚さが３０μｍよりも薄くなると、急激に発明の効果が小さくなる。同様に、図７Ｂでは、閉磁路１７０とビアホール１５０ａ、１５０ｂとの距離が５００μｍを越えると、高い周波数での発明の効果が急激に小さくなる。よって、本実施の形態においては、閉磁路１７０が、厚さが３０μｍ以上、ビアホール１５０ａ，１５０ｂからの距離が５００μｍ以下の形態を有するのが最適であることが分かる。ここで、図８Ｂに示した閉磁路１７０の幅をパラメータとしたシミュレーション結果については、閉磁路１７０の幅を変化させても伝送信号の通過量に急激な変化はないものの、幅が小さくなるとコモンモードノイズを遮断する効果は小さくなる。よってコモンモードノイズの遮断量が図８Ｂに示した各周波数で１ｄＢ以上である幅３０μｍ以上が最適である。
【００３７】
上記してきたように、本実施の形態により、多層プリント基板の磁性体層に設けられる信号ビアを取り囲むように閉磁路を形成することによりフィルタを一体構成し、高速デジタル信号伝送を行う差動伝送線路に重畳されるコモンモードノイズを効率良く抑制することのできるシンプル且つコンパクトな構成を備えた多層プリント基板を提供することができる。
【００３８】
（実施の形態２）
本発明の実施の形態２に係わる多層プリント基板の概略構成を図９に示す。また、図９のＡ−Ａ’部の断面を図１０に示す。本実施の形態に係わる基本的な構成は実施の形態の１のそれと同じである。但し、本実施の形態においては、複数の磁性体層１２０ａ、１２０ｂ、１２０ｃを、第１の信号層１１０と第２の信号層１３０との間に備えている。本実施の形態では、複数の磁性体層を、磁性体層１２０ａから磁性体層１２０ｃまでの３層構成としているが、磁性体層の数は、２層以上の任意の数とすることが出来るのは言うまでもない。
【００３９】
図１１Ａは、実施の形態１と同様の電磁界シミュレーションにおいて、閉磁路１７０の厚さと幅とビアホールからの距離とを一定にして、磁性体層の層数をパラーメータとして変化させた場合の電磁界シミュレーションモデルを示す。また、図１１Ａのモデルにおいて、磁性体層の層数をパラーメータとして変化させた場合のコモンモードノイズの減衰量を、閉磁路１７０が無い場合との差分として示した結果を図１１Ｂに示す。図１１Ｂに示されるように、本実施の形態においては、磁性体層の層数に比例して、コモンモードノイズの通過量が抑制されることが分かる。これにより、閉磁路１７０の厚さを増やすことが出来ない場合、閉磁路１７０の形成された磁性体層を複数備えた本実施の形態を採用することが有効となることが分かる。
【００４０】
本実施の形態においては、磁性体層を複数備えることで、実施の形態１とくらべて、単一の磁性体層に形成される閉磁路の厚さを大きくせずとも、コモンモードノイズをより効果的に抑制することができる。また、本実施の形態においては、第１の信号層と第２の信号層との間に複数の磁性体層のみならず、必要に応じて少なくとも一層の信号層が積層されても良い。
【００４１】
（実施の形態３）
本発明の実施の形態３に係わる多層プリント基板の概略構成を図１２に示す。本実施の形態における閉磁路１７００の磁性体層の面内形状は、実施の形態１および２に示されていた正方形に限定されない。本実施の形態においては、図１２に示すように、閉磁路１７００の磁性体層の面内形状を環状とする。
【００４２】
図１３Ａは、実施の形態１および２と同様の電磁界シミュレーションにおいて、閉磁路１７００の幅とビアホールからの距離とを一定にして、閉磁路１７００の厚みをパラーメータとして変化させた場合の電磁界シミュレーションモデルを示す。また、図１３Ａのモデルにおいて、閉磁路１７００の厚みをパラーメータとして変化させた場合のコモンモードノイズの減衰量を、閉磁路１７００が無い場合との差分として示した結果を図１３Ｂに示す。図１３Ｂに示されるとおり、閉磁路１７００の形状は本実施の形態で示した環状でも、コモンモードノイズを十分に抑制することが分かる。本実施の形態に示されたように、閉磁路１７００の形状は、閉ループを形成していればどのような形状でも良い。また、ビアホールを取り囲むように形成される閉磁路１７００が、同一の磁性体層に複数あるような構造でも問題はない。
【００４３】
このように、本実施の形態においては、実施の形態１および２の作用効果にくわえて、基板形状およびビアホールの配置形態を考慮した閉磁路１７００の形状を採用することにより、差動伝送線路に重畳されるコモンモードノイズを効率良く抑制することができる。
【００４４】
（実施の形態４）
本発明の実施の形態４に係わる多層プリント基板の断面を図１４に示す。本発明における閉磁路１７０の形成方法が任意の形成方法でよいことは前述の通りであるが、一般に、プリント基板は誘電体層の上に導体層をパターンニングすることにより形成されるので、この製造技術を流用して簡便に磁性体層および閉磁路を実現することが求められる。
【００４５】
本実施の形態に係わる多層プリント基板では、このため、図１４に示されるように、誘電体層の上に形成される導体１８０の上に閉磁路１７０を積層する構成としている。本実施の形態における当該構成は、実施の形態１から３までの全てに適用可能であり、本実施の形態により、磁性体層における閉磁路の形成を容易にする。
【図面の簡単な説明】
【００４６】
【図１】従来の技術を示す特許文献１の図である。
【図２】従来の技術を示す特許文献２の図である。
【図３】従来の技術を示す特許文献３の図である。
【図４】本発明の実施の形態１に係わる多層プリント基板の概略構成を示す図である。
【図５】図４のＡ−Ａ’部の断面を示す図である。
【図６Ａ】実施の形態１の効果を示すシミュレーションモデルを示す図である。
【図６Ｂ】図６Ａに基づくシミュレーション結果を示す図である。
【図７Ａ】実施の形態１の効果を示すシミュレーションモデルを示す図である。
【図７Ｂ】図７Ａに基づくシミュレーション結果を示す図である。
【図８Ａ】実施の形態１の効果を示すシミュレーションモデルを示す図である。
【図８Ｂ】図８Ａに基づくシミュレーション結果を示す図である。
【図９】本発明の実施の形態２に係わる多層プリント基板の概略構成を示す図である。
【図１０】図９のＡ−Ａ’部の断面を示す図である。
【図１１Ａ】実施の形態１の効果を示すシミュレーションモデルを示す図である。
【図１１Ｂ】図１１Ａに基づくシミュレーション結果を示す図である。
【図１２】本発明の実施の形態３に係わる多層プリント基板の概略構成を示す図である。
【図１３Ａ】実施の形態３の効果を示すシミュレーションモデルを示す図である。
【図１３Ｂ】図１３Ａに基づくシミュレーション結果を示す図である。
【図１４】本発明の実施の形態４に係わる多層プリント基板の概略構成を示す図である。
【符号の説明】
【００４７】
１００…多層プリント基板
１１０…第１の信号層
１２０、１２０ａ、１２０ｂ、１２０ｃ…磁性体層
１３０…第２の信号層
１４０ａ、１４０ｂ…第１の信号配線
１５０ａ、１５０ｂ…ビアホール
１６０ａ、１６０ｂ…第２の信号配線
１７０、１７０ａ、１７０ｂ、１７０ｃ、１７００…閉磁路
【図１】
0004835188.tif 000002
【図２】
0004835188.tif 000003
【図３】
0004835188.tif 000004
【図４】
0004835188.tif 000005
【図５】
0004835188.tif 000006
【図６Ａ】
0004835188.tif 000007
【図６Ｂ】
0004835188.tif 000008
【図７Ａ】
0004835188.tif 000009
【図７Ｂ】
0004835188.tif 000010
【図８Ａ】
0004835188.tif 000011
【図８Ｂ】
0004835188.tif 000012
【図９】
0004835188.tif 000013
【図１０】
0004835188.tif 000014
【図１１Ａ】
0004835188.tif 000015
【図１１Ｂ】
0004835188.tif 000016
【図１２】
0004835188.tif 000017
【図１３Ａ】
0004835188.tif 000018
【図１３Ｂ】
0004835188.tif 000019
【図１４】
0004835188.tif 000020